【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
第１のヘッドの換算累積動作時間と前記第１のヘッドと種別が異なる第２のヘッドの換算累積動作時間を、前記第１のヘッドの動作時間と前記第２のヘッドの動作時間とに基づいて算出し、
算出した前記第１のヘッドの換算累積動作時間と前記第２のヘッドの換算累積動作時間を用いて前記第１のヘッドの使用率及び前記第２のヘッドの使用率に変換し、
前記第１のヘッドの使用率及び前記第２のヘッドの使用率のうち大きい値の使用率に基づいてメディアドライブの寿命を判定することを特徴とするメディアドライブの制御方法。
【請求項２】
第１のヘッドの換算累積動作時間と、前記第１のヘッドと種別が異なる第２のヘッドの換算累積動作時間と、前記第１のヘッド及び前記第２のヘッドと種別が異なる第３のヘッドの換算累積動作時間とを、前記第１のヘッドの動作時間、前記第２のヘッドの動作時間、及び前記第３のヘッドの動作時間に基づいて算出し、
算出した前記第１のヘッドの換算累積動作時間、前記第２のヘッドの換算累積動作時間、及び前記第３のヘッドの換算累積動作時間を用いて前記第１のヘッドの使用率、前記第２のヘッドの使用率、及び前記第３のヘッドの使用率に変換し、
前記第１のヘッドの使用率、前記第２のヘッドの使用率、及び前記第３のヘッドの使用率のうち一番大きい値の使用率に基づいてメディアドライブの寿命を判定することを特徴とするメディアドライブの制御方法。
【請求項３】
前記第１のヘッドはＣＤヘッドであり、
前記第２のヘッドは、ＤＶＤヘッドであり、
前記第３のヘッドは、ＢＤヘッドであり、
前記ＣＤ、前記ＤＶＤ及び前記ＢＤヘッドの換算累積動作時間であるＴ（ＣＤＴ）、Ｔ（ＤＶＤＴ）及びＴ（ＢＤＴ）は、以下の（１）から（３）の式に基づいて算出される請求項２に記載のメディアドライブの制御方法。
Ｔ（ＣＤＴ）＝ａＴ（ＣＤ）ｗ＋ｂＴ（ＤＶＤ）ｗ＋ｃＴ（ＢＤ）ｗ＋ｄＴ（ＣＤ）ｒ＋ｅＴ（ＤＶＤ）ｒ＋ｆＴ（ＢＤ）ｒ＋ｇＴ（ｗａ）・・・（１）
Ｔ（ＤＶＤＴ）＝ａ’Ｔ（ＣＤ）ｗ＋ｂ’Ｔ（ＤＶＤ）ｗ＋ｃ’Ｔ（ＢＤ）ｗ＋ｄ’Ｔ（ＣＤ）ｒ＋ｅ’Ｔ（ＤＶＤ）ｒ＋ｆ’Ｔ（ＢＤ）ｒ＋ｇ’Ｔ（ｗａ）・・・（２）
Ｔ（ＢＤＴ）＝ａ’’Ｔ（ＣＤ）ｗ＋ｂ’’Ｔ（ＤＶＤ）ｗ＋ｃ’’Ｔ（ＢＤ）ｗ＋ｄ’’Ｔ（ＣＤ）ｒ＋ｅ’’Ｔ（ＤＶＤ）ｒ＋ｆ’’Ｔ（ＢＤ）ｒ＋ｇ’’Ｔ（ｗａ）・・・（３）
ここで、Ｔ（ＣＤ）ｗはＣＤヘッドの累積書込み動作時間、Ｔ（ＤＶＤ）ｗはＤＶＤヘッドの累積書込み動作時間、Ｔ（ＢＤ）ｗはＢＤヘッドの累積書込み動作時間、Ｔ（ＣＤ）ｒはＣＤヘッドの累積読出し動作時間、Ｔ（ＤＶＤ）ｒはDVDヘッドの累積読出し動作時間、Ｔ（ＢＤ）ｒはＢＤヘッドの累積読出し動作時間、Ｔ（ｗａ）は累積待機時間である。また、ａ、ａ’、ａ’’、ｂ、ｂ’、ｂ’’、ｃ、ｃ’、ｃ’’、ｄ、ｄ’、ｄ’’、ｅ、ｅ’、ｅ’’、ｆ、ｆ’、ｆ’’及びｇ、ｇ’、ｇ’’は係数である。
【請求項４】
第１のヘッドと、前記第１のヘッドと種別が異なる第２のヘッドと、前記第１のヘッド及び前記第２のヘッドと種別が異なる第３のヘッドとを有するメディアドライブを備え、
前記第１のヘッドの換算累積動作時間と、前記第２のヘッドの換算累積動作時間と、前記第３のヘッドの換算累積動作時間とを、前記第１のヘッドの動作時間、前記第２のヘッドの動作時間、及び前記第３のヘッドの動作時間に基づいて算出し、算出した前記第１のヘッドの換算累積動作時間、前記第２のヘッドの換算累積動作時間、及び前記第３のヘッドの換算累積動作時間を用いて前記第１のヘッドの使用率、前記第２のヘッドの使用率、及び前記第３のヘッドの使用率に変換し、前記第１のヘッドの使用率、前記第２のヘッドの使用率、及び前記第３のヘッドの使用率のうち一番大きい値の使用率に基づいて前記メディアドライブの寿命を判定することを特徴とする制御装置。
【請求項５】
前記第１のヘッドは、ＣＤヘッドであり、
前記第２のヘッドは、ＤＶＤヘッドであり、
前記第３のヘッドは、ＢＤヘッドであり、ＣＤ、ＤＶＤ及びＢＤヘッドの換算累積動作時間であるＴ（ＣＤＴ）、Ｔ（ＤＶＤＴ）及びＴ（ＢＤＴ）を以下の（１）から（３）の式に基づいて算出する請求項４に記載の制御装置。
Ｔ（ＣＤＴ）＝ａＴ（ＣＤ）ｗ＋ｂＴ（ＤＶＤ）ｗ＋ｃＴ（ＢＤ）ｗ＋ｄＴ（ＣＤ）ｒ＋ｅＴ（ＤＶＤ）ｒ＋ｆＴ（ＢＤ）ｒ＋ｇＴ（ｗａ）・・・（１）
Ｔ（ＤＶＤＴ）＝ａ’Ｔ（ＣＤ）ｗ＋ｂ’Ｔ（ＤＶＤ）ｗ＋ｃ’Ｔ（ＢＤ）ｗ＋ｄ’Ｔ（ＣＤ）ｒ＋ｅ’Ｔ（ＤＶＤ）ｒ＋ｆ’Ｔ（ＢＤ）ｒ＋ｇ’Ｔ（ｗａ）・・・（２）
Ｔ（ＢＤＴ）＝ａ’’Ｔ（ＣＤ）ｗ＋ｂ’’Ｔ（ＤＶＤ）ｗ＋ｃ’’Ｔ（ＢＤ）ｗ＋ｄ’’Ｔ（ＣＤ）ｒ＋ｅ’’Ｔ（ＤＶＤ）ｒ＋ｆ’’Ｔ（ＢＤ）ｒ＋ｇ’’Ｔ（ｗａ）・・・（３）
ここで、Ｔ（ＣＤ）ｗはＣＤヘッドの累積書込み動作時間、Ｔ（ＤＶＤ）ｗはＤＶＤヘッドの累積書込み動作時間、Ｔ（ＢＤ）ｗはＢＤヘッドの累積書込み動作時間、Ｔ（ＣＤ）ｒはＣＤヘッドの累積読出し動作時間、Ｔ（ＤＶＤ）ｒはDVDヘッドの累積読出し動作時間、Ｔ（ＢＤ）ｒはＢＤヘッドの累積読出し動作時間、Ｔ（ｗａ）は累積待機時間である。また、ａ、ａ’、ａ’’、ｂ、ｂ’、ｂ’’、ｃ、ｃ’、ｃ’’、ｄ、ｄ’、ｄ’’、ｅ、ｅ’、ｅ’’、ｆ、ｆ’、ｆ’’及びｇ、ｇ’、ｇ’’は係数である。
【請求項６】
前記一番大きい値の使用率を表示し、前記一番大きい値の使用率が所定の値を超えた場合、警告メッセージを表示する表示部を備える請求項４または請求項５に記載の制御装置。
【手続補正２】
【補正対象書類名】明細書
【補正対象項目名】０００７
【補正方法】変更
【補正の内容】
【０００７】
上記課題を解決するための本発明のメディアドライブの制御方法は、第１のヘッドの換算累積動作時間と前記第１のヘッドと種別が異なる第２のヘッドの換算累積動作時間を、前記第１のヘッドの動作時間と前記第２のヘッドの動作時間とに基づいて算出し、算出した前記第１のヘッドの換算累積動作時間と前記第２のヘッドの換算累積動作時間を用いて前記第１のヘッドの使用率及び前記第２のヘッドの使用率に変換し、 前記第１のヘッドの使用率及び前記第２のヘッドの使用率のうち大きい値の使用率に基づいてメディアドライブの寿命を判定することを特徴とする。
また、第１のヘッドの換算累積動作時間と、前記第１のヘッドと種別が異なる第２のヘッドの換算累積動作時間と、前記第１のヘッド及び前記第２のヘッドと種別が異なる第３のヘッドの換算累積動作時間とを、前記第１のヘッドの動作時間、前記第２のヘッドの動作時間、及び前記第３のヘッドの動作時間に基づいて算出し、算出した前記第１のヘッドの換算累積動作時間、前記第２のヘッドの換算累積動作時間、及び前記第３のヘッドの換算累積動作時間を用いて前記第１のヘッドの使用率、前記第２のヘッドの使用率、及び前記第３のヘッドの使用率に変換し、前記第１のヘッドの使用率、前記第２のヘッドの使用率、及び前記第３のヘッドの使用率のうち一番大きい値の使用率に基づいてメディアドライブの寿命を判定することを特徴とする。
【手続補正３】
【補正対象書類名】明細書
【補正対象項目名】００１１
【補正方法】変更
【補正の内容】
【００１１】
上記課題を解決するための本発明の制御装置は、第１のヘッドと、前記第１のヘッドと種別が異なる第２のヘッドと、前記第１のヘッド及び前記第２のヘッドと種別が異なる第３のヘッドとを有するメディアドライブを備え、前記第１のヘッドの換算累積動作時間と、前記第２のヘッドの換算累積動作時間と、前記第３のヘッドの換算累積動作時間とを、前記第１のヘッドの動作時間、前記第２のヘッドの動作時間、及び前記第３のヘッドの動作時間に基づいて算出し、算出した前記第１のヘッドの換算累積動作時間、前記第２のヘッドの換算累積動作時間、及び前記第３のヘッドの換算累積動作時間を用いて前記第１のヘッドの使用率、前記第２のヘッドの使用率、及び前記第３のヘッドの使用率に変換し、前記第１のヘッドの使用率、前記第２のヘッドの使用率、及び前記第３のヘッドの使用率のうち一番大きい値の使用率に基づいて前記メディアドライブの寿命を判定することを特徴とする。
【手続補正４】
【補正対象書類名】明細書
【補正対象項目名】００１４
【補正方法】変更
【補正の内容】
【００１４】
また、前記一番大きい値の使用率を表示し、前記一番大きい値の使用率が所定の値を超えた場合、警告メッセージを表示する表示部を備えることを特徴とする。